(57)【特許請求の範囲】
【請求項１】
少なくとも一つの電子タバコを保存するためのケースと、
ケース内に設けられ且つ電子タバコに充電するための充電モジュールを含む電子タバコケースにおいて、
前記充電モジュールが充電コンセントと、充電電池と、制御基盤上に集積された回路処理ユニットを含み、前記充電コンセントが電極部支え座と、電極部支え座上に設けられた第一電極部と、第二電極部と、第二電極部に予定の距離を離れているトリガー素子を含み、前記第一電極部の両端がそれぞれ前記電子タバコの第一電極と充電電池の第一電極に電気的に接続され、前記第二電極部の両端がそれぞれ前記電子タバコの第二電極と充電電池の第二電極に電気的に接続され、前記電子タバコは充電コンセント内に挿入され、前記第二電極部に当接され、第二電極部が弾性変形を発生してトリガー素子に当接され、これにより、充電回路を回路に形成し、回路処理ユニットが充電電池を自動制御することにより電子タバコに充電したり、充電終了後に自動的に電気を切断したりし、
前記電極部支え座が電気絶縁材質により製造され、前記トリガー素子、第一電極部及び第二電極部がすべて金属導電シートを折り曲げて成型させた弾性変形を備えた導電シートであり、
前記トリガー素子、第一電極部及び第二電極部がすべて前記制御基盤上に対応するパッドと直接的に当接され、制御基盤により前記充電電池に電気的に接続され、
前記電極部支え座が上壁、下壁、左壁、右壁及び後壁で規定する方形槽体を含み、前記トリガー素子は左壁上に固定され、一端が上壁上に貼り合わせ、他端が方形槽体外に差し出して前記制御基盤に当接され、前記第二電極部が右壁上に固定され、一端が上壁の上方に位置し且つ前記トリガー素子が上壁に位置した一端と予定の距離を離れ、他端が方形槽体外に差し出して前記制御基盤に当接され、前記第一電極部が前記後壁上に設けられ、第一電極部の一端がそれぞれ電極部支え座の上壁と前記第二電極部を貫通し、第一電極部の他の一端が方形槽体外へ貫通して前記制御基盤に当接されている、
ことを特徴とする電子タバコケース。
【請求項２】
前記トリガー素子は、本体と、本体上に設けられた少なくとも一つの固定孔と、前記制御基盤上に対応するパッドに当接するための弾性変形を備えるパッド当接シート及び前記第二電極部に当接するための電極当接シートを含み、トリガー素子の本体は、前記固定孔を通じて前記電極部支え座の左壁上に固定され、これに応じて、左壁上に該少なくとも一つの固定孔と係合する少なくとも一つの位置決め柱が設けられ、トリガー素子の電極当接シートが前記上壁に貼り合わせられている、
ことを特徴とする請求項１に記載の電子タバコケース。
【請求項３】
前記トリガー素子の本体と電極当接シートが「L」字形に形成され、トリガーのパッド当接シートが「U」字形、「V」字形、或いは弧状の弾性シートである、
ことを特徴とする請求項２に記載の電子タバコケース。
【請求項４】
前記第一電極部は、本体と、本体上に設けられた少なくとも一つの固定孔と、前記制御基盤上に対応するパッドに当接するための弾性変形を備えるパッド当接シート及び前記電子タバコの第一電極部に当接するための電極当接シートを含み、第一電極部の本体が前記固定孔により前記電極部支え座の後壁上に固定され、後壁上に該少なくとも一つの固定孔と係合する少なくとも一つの位置決め柱が設けられ、第一電極部の電極当接シートがそれぞれ電極部支え座の上壁と前記第二電極部を貫通する、
ことを特徴とする請求項１に記載の電子タバコケース。
【請求項５】
前記第一電極部の本体と電極当接シートがほぼ「Z」字形であり、第一電極部のパッド当接シートが「U」字形、「V」字形、或いは弧状の弾性シートである、
ことを特徴とする請求項４に記載の電子タバコケース。
【請求項６】
前記第二電極部は、本体と、本体上に設けられた少なくとも一つの固定孔と、前記制御基盤上に対応するパッドに当接するための弾性変形を備えるパッド当接シート及び前記電子タバコの第二電極部とともに前記トリガー素子に当接するための電極当接シートを含み、第二電極部の本体が前記固定孔により前記電極部支え座の右壁上に固定され、右壁上に該少なくとも一つの固定孔と係合する少なくとも一つの位置決め柱が設けられ、第二電極部の電極当接シートが上壁の上方に位置して且つ前記トリガー素子と予定の距離を離れている、
ことを特徴とする請求項１に記載の電子タバコケース。
【請求項７】
前記第二電極部の本体と電極当接シートがほぼ「L」字形であり、第二電極部のパッド当接シートが「U」字形、「V」字形、或いは弧状の弾性シートである、
ことを特徴とする請求項６に記載の電子タバコケース。
【請求項８】
前記第二電極部の電極当接シート上に、前記第一電極部を貫通するための貫通孔が設けられている、
ことを特徴とする請求項６に記載の電子タバコケース。
【請求項９】
前記ケースは、底部ケース、ケース蓋及びケース蓋を底部ケース上に回転可能に設置させたケース蓋開閉装置を含み、前記充電モジュールが底部ケース内に設けられ、前記ケース蓋開閉装置が、ボタンとファスナーを含み、前記ボタンが前記底部ケース上に設けられたボタン開放孔内に実装され且つ前記ファスナーに当接することでファスナーを制御し、前記ファスナーが底部ケース内に固定され、且つファスナーの末端がケース蓋のスロットと係合し、これにより、ケース蓋を底部ケースにロキングするか或いは底部ケースから緩める、
ことを特徴とする請求項１に記載の電子タバコケース。
【請求項１０】
前記底部ケース内には、前記充電モジュールを収容するとともに固定するための第一ブラケット、及び前記電子タバコを案内して前記第一ブラケット内に挿入するための第二ブラケットが設けられている、
ことを特徴とする請求項９に記載の電子タバコケース。
【請求項１１】
前記第一ブラケット内には、電子タバコを案内して前記充電コンセント内に挿入するための案内スロットが設けられ、前記案内スロット内に前記電子タバコと係合する結合リングが設けられている、
ことを特徴とする請求項１０に記載の電子タバコケース。
【請求項１２】
前記ケース蓋および／または底部ケースは木質材料で加工して形成され、前記木質材料は天然木材であり、前記天然木材は、松、レッドウッド、インドシタン、紫檀、ローズウッド、ウェンジ、ゴム、胡桃、楓、樺、チェリーウッド、オールナット、樟の木中の一種又は複数種の混合体であり、用いられる加工技術は、木材の削り、木材の成型・加工、木材の表面装飾、及び消毒である、
ことを特徴とする請求項９に記載の電子タバコケース。
【発明の詳細な説明】
【技術分野】
【０００１】
本発明は、電子タバコケースに関し、具体的には、電子タバコに充電することができる電子タバコケースに関する。
【背景技術】
【０００２】
一般的に、電子タバコケースは、電子タバコを保存するとともに電子タバコに充電するものである。従来の電子タバコケースは、ケースと、ケース内に設けられ且つ電子タバコの電源部及び吸引部を保存するための電子タバコブラケットと、電源部に充電するための充電モジュールを含む。充電モジュールは、PCB基盤及び充電コンセントを含み、充電コンセントが雌ネジを備えた銅材スリーブ件であり、PCB基盤と充電コンセントの線路の接続方式が熔接であり、電源部は充電する時に充電コンセントとの接続方式がねじ込み接続である。電源部に充電するためのトリガー信号方式はボタンを押したトリガー方式である。
【０００３】
従来の電子タバコケースは以下の欠陥がある。PCB基盤と充電コンセントの線路の接続方式が熔接であるため、工程が複雑で、且つ短絡または断路現像を容易に発生し、線路接続の信頼性が低い。電源部と充電コンセントの充電接続方式がねじ込み接続ために、利用する際に不便であった。充電コンセントが銅材スリーブであったため、製造コストが高かった。また、ボタンを押すトリガー方式を採用したため信号送信方式の信頼性が低かった。
【発明の概要】
【発明が解決しようとする課題】
【０００４】
本発明が解決しようとする技術的課題は、実装と使用が便利で、且つ線路接続の安定性と信頼性が高く、また、電子タバコケースの製造工程を簡略化することができ、且つ製造コストを節約することができる電子タバコケースを提供することにある。
【０００５】
前記問題を解決するため、本発明は以下の技術方案を採用する。電子タバコケースは、電子タバコを保存するためのケースと、ケース内に設けられ且つ電子タバコに充電するための充電モジュールを含む。前記充電モジュールが充電コンセントと、充電電池と、制御基盤上に集積される回路処理ユニットを含む。前記充電コンセントが電極部支え座と、電極部支え座上に設けられた第一電極部と、第二電極部と、第二電極部に予定の距離を離れるトリガー素子を含む。前記第一電極部の両端がそれぞれ前記電子タバコの第一電極と充電電池の第一電極に電気的に接続されている。前記第二電極部の両端がそれぞれ前記電子タバコの第二電極と充電電池の第二電極に電気的に接続されている。前記電子タバコは充電コンセント内に挿入された前記第二電極部に当接されている。第二電極部が弾性変形を発生してトリガー素子に当接され、これにより、充電回路を回路にさせることができる。回路処理ユニットが充電電池を自動的に制御するにより電子タバコに充電するとともに、充電終了後に自動的に電気を切断する。
【０００６】
更に、前記電極部支え座が電気絶縁材質により製造され、前記トリガー素子、第一電極部及び第二電極部は、全て金属導電シートを折り曲げて成型した弾性変形を備えた導電シートである。
【０００７】
更に、前記トリガー素子、第一電極部及び第二電極部は、すべて前記制御基盤上に対応するパッドと直接的に当接され、制御基盤により前記充電電池に電気的に接続されている。
【０００８】
更に、前記電極部支え座が上壁、下壁、左壁、右壁及び後壁で規定する方形槽体を含む。前記トリガー素子は左壁上に固定され、一端が上壁上に貼り合わせ、他端が方形槽体外に差し出して前記制御基盤に当接されている。前記第二電極部が右壁上に固定され、一端が上壁の上方に位置し且つ前記トリガー素子が上壁に位置した一端に予定の距離を離れ、他端が方形槽体外に差し出して前記制御基盤に当接されている。前記第一電極部が前記後壁上に設けられ、第一電極部の一端がそれぞれ電極部支え座の上壁と前記第二電極部を貫通し、第一電極部の他の一端が方形槽体外へ貫通して前記制御基盤に当接されている。
【０００９】
更に、前記トリガー素子は、本体と、本体上に設けられた固定孔と、前記制御基盤上に対応するパッドに当接するための弾性変形を備えるパッド当接シート及び前記第二電極部に当接するための電極当接シートを含む。トリガー素子の本体が前記固定孔により前記電極部支え座の左壁上に固定されている。これに応じて、左壁上に該固定孔と係合する位置決め柱が設けられている。トリガー素子の電極当接シートが前記上壁に貼り合わせられている。
【００１０】
更に、前記トリガー素子の本体と電極当接シートが「L」字形に形成されている。従って、トリガーのパッド当接シートが「U」字形、「V」字形、或いは弧状の弾性シートである。
【００１１】
更に、前記第一電極部は、本体と、本体上に設けられた固定孔と、前記制御基盤上に対応するパッドに当接するための弾性変形を備えるパッド当接シート及び前記電源部の第一電極部に当接するための電極当接シートを含む。第一電極部の本体が前記固定孔により前記電極部支え座の後壁上に固定されている。これに応じて、後壁上に該固定孔と係合する位置決め柱が設けられている。第一電極部の電極当接シートがそれぞれ電極部支え座の上壁と前記第二電極部を貫通する。
【００１２】
更に、前記第一電極部の本体と電極当接シートがほぼ「Z」字形であり、従って、第一電極部のパッド当接シートが「U」字形、「V」字形、或いは弧状の弾性シートである。
【００１３】
更に、前記第二電極部は、本体と、本体上に設けられた固定孔と、前記制御基盤上に対応するパッドに当接するための弾性変形を備えるパッド当接シート及び前記電源部の第二電極部とともに前記トリガー素子に当接するための電極当接シートを含む。第二電極部の本体が前記固定孔により前記電極部支え座の右壁上に固定されている。これに応じて、右壁上に該固定孔と係合する位置決め柱が設けられている。第二電極部の電極当接シートが上壁の上方に位置して且つ前記トリガー素子に予定の距離を離れている。
【００１４】
更に、前記第二電極部の本体と電極当接シートがほぼ「L」字形であり、従って、第二電極部のパッド当接シートが「U」字形、「V」字形、或いは弧状の弾性シートである。
【００１５】
更に、前記第二電極部の電極当接シート上に、前記第一電極部を貫通するための貫通孔が設けられている。
【００１６】
更に、前記ケースは、底部ケース、ケース蓋及びケース蓋を底部ケース上に回転可能に設置させたケース蓋開閉装置を含み、前記充電モジュールが底部ケース内に設けられている。前記ケース蓋開閉装置が、ボタンとファスナーを含む。前記ボタンが前記底部ケース上に設けられたボタン開放孔内に実装され且つ前記ファスナーに当接しており、ファスナーを制御することができ。前記ファスナーが底部ケース内に固定され、且つファスナーの末端がケース蓋のスロットと係合し、これにより、ケース蓋を底部ケースにロキングするか或いは底部ケースから緩める。
【００１７】
更に、前記底部ケース内には、前記充電モジュールを収容するとともに固定するための第一ブラケット、及び前記電子タバコを案内して前記第一ブラケット内に挿入するための第二ブラケットが設けられている。
【００１８】
更に、前記第一ブラケット内には、電子タバコを案内して前記充電コンセント内に挿入するための案内スロットが設けられ、前記案内スロット内に前記電子タバコと係合する結合リングが設けられている。
【００１９】
更に、前記ケース蓋および／または底部ケースが木質材料で加工して形成する。前記木質材料が天然木材を採用する。前記天然木材が松、レッドウッド、インドシタン、紫檀、ローズウッド、ウェンジ、ゴム、胡桃、楓、樺、チェリーウッド、オールナット、樟の木中の一種又は複数種の混合体であり。加工技術としては、木材の削り、木材の成型・加工、木材の表面装飾、及び消毒を含む。
【発明の効果】
【００２０】
本発明の実施例において、有益な効果は、制御基盤と充電モジュールの接続方式がバネ式接続であり、熔接する必要がなく、工程を簡略化し、取り付けが便利で、また線路接続の安定性と信頼性が高い。
次に、充電モジュールが金属シートで製造され、製造コストを節約することができる。
また、電子タバコの電源部と充電コンセントの充電接続方式は抜差式で連結ため、取り付けと利用が便利である。
他に、電子タバコの電源部に提供されたトリガー信号方式はバネ接触のトリガー方式であり、連結の信頼性が高い。
【００２１】
以下、図面を参照しながら本発明の実施例を詳細に説明する。
【図面の簡単な説明】
【００２２】
【図１】図１は本発明の実施例に係る電子タバコケースを示す立体図である。
【図２】図２は本発明の実施例に係る電子タバコケースを示す使用する状態図である。
【図３】図３は本発明の実施例に係る電子タバコケースを示す立体分解図である。
【図４】図４は図２のハウジングを取り除いた電子タバコケースを示す立体図である。
【図５】図５は図４を示す正面図である。
【図６】図６は図５の縦方向断面、即ちA―Aを示す断面図である。
【図７】図７は図５の横方向を示す断面図である。
【図８】図８は本発明の実施例に係る電子タバコケースの電極部支え座を示す立体図である。
【図９】図９は本発明の実施例に係る電子タバコケースのトリガー素子を示す立体図である。
【図１０】図１０は本発明の実施例に係る電子タバコケースの第一電極部を示す立体図である。
【図１１】図１１は本発明の実施例に係る電子タバコケースの第二電極部を示す立体図である。
【図１２】図１２は本発明の実施例に係る電子タバコケースの充電コンセントを示す立体図である。
【図１３】図１３は本発明の実施例に係る電子タバコケースの充電コンセントを示す正面図である。
【発明を実施するための形態】
【００２３】
図１〜図１３に示すように、本発明の実施例において、電子タバコケース２００を提供し、吸引筒９０と電源部９１を含む電子タバコ１００を保存するとともに前記電源部９１に充電することに用いられている。前記電子タバコケース２００は、底部ケース８１と、底部ケース８１と係合するケース蓋８２と、ケース蓋開閉装置８３と、及び充電電池７１を備える充電モジュール７を含み、充電電池７１が電子タバコ１００の電源部９１に充電することに用いられている。
【００２４】
図１〜図２に示すように、前記底部ケース８１は方形のハウジングであり、もちろん、その形状が方形限りではなく、例えば円形、楕円形、多角形にすることも可能であり、ただケース蓋８２と係合することができる。底部ケース８１内に前記充電電池７１を収納するための第一ブラケット８５、及び前記電子タバコ１００を挟まるとともに支持するための第二ブラケット８６が設けられている。前記底部ケース８１上にボタン孔８１１が設けられ（図３に示すように）、底部ケース８１の底部に前記充電電池７１と電気的に接続されたパワーライト８１２が設けられ、充電電池７１が充電終了であるか否かを指示することに用いられている。
【００２５】
前記ケース蓋８２は、前記ケース蓋開閉装置８３により底部ケース８１上にピン接続されている。前記ケース蓋開閉装置８３がボタン８３１と、ケース蓋８２と互いに係止するためのファスナー８３２と、ケース蓋８２を自動的に弾くためのリターンスプリング８３３及び枢軸８３４を含む。前記ファスナー８３２が前記第一ブラケット８５に取り付けられ、弾性プラスチックで製造され、弾性変形を備える。前記ボタン８３１が前記ボタン孔８１１内に設けられ、前記ファスナー８３２に固定され且つ底部ケース８１外に差し出されている。前記ボタン８３１が前記底部ケース８１上に設けられた前記ボタン孔８１１内に実装され且つ前記ファスナー８３２にと当接しており、ファスナー８３２を制御することができる。前記ファスナー８３２が底部ケース８１内に固定され且つその末端がケース蓋８２上のスロット８２１と係合し、これにより、ケース蓋８２を底部ケース８１にロキングするか或いは底部ケース８１から緩めることができる。前記ケース蓋８２が前記枢軸８３４により底部ケース８１上に回転可能に設置され、前記リターンスプリング８３３が前記枢軸８３４上に被装され、リターンスプリング８３３の両脚部がそれぞれケース蓋８２と底部ケース８１に当接され、ケース蓋８２が底部ケース８１に被せる時に、リターンスプリング８３３は前記ケース蓋８２を自動的にフリップさせる可能な付勢力を生成する。
【００２６】
前記第一ブラケット８５が底部ケース８１内に固定され、第一ブラケット８５内に電池スロット８５１が設けられ、前記充電電池７１が該電池スロット８５１内に収容されて固定され、第一ブラケット８５が金属或いはプラスチック材質で製造されている。前記第一ブラケット８５上に前記電源部９１を案内するための案内スロット８５２が設けられ、案内スロット８５２内に電源部９１を第一ブラケット８５内にしっかり固定するための結合リング８５３が設けられ、該結合リング８５３が弾性プラスチック材質で製造され、結合リング８５３が中部に沿って貫通し且つ電源部９１と係合する固定孔が設けられ、結合リング８５３が前記案内スロット８５２内に固定されている。第一ブラケット８５上にもコンセントスロット８５４が設けられ、該コンセントスロット８５４が前記案内スロット８５２に隣接している。
【００２７】
前記第二ブラケット８６が底部ケース８１内に固定され、前記第一ブラケット８５の上方に位置し、前記電子タバコ１００を挟まるとともに支持するためであり、第二ブラケット８６が弾性プラスチックで製造されている。
【００２８】
図５に示すように、前記充電モジュール７が底部ケース８１内に設けられ、充電電池７１と、充電コンセント７２と、外部電源に差し込まれるためのUSBインタフェース７３と、及び三つとそれぞれ電気的に接続された回路処理ユニットを含み、本実施例において、充電モジュール７にも制御基盤７４を含み、前記USBインタフェース７３と回路処理ユニットが該制御基盤７４に集積され、制御基盤７４上に前記充電コンセント７２と係合するための取り付け孔７４１が設けられ、該制御基盤７４が前記第一ブラケット８５に固定されている。前記USBインタフェース７３が外部電源に接続することに用いられ、これにより、前記充電電池７１に充電し、もちろん、USBインタフェース７３にも、他の形式の電源ソケットインタフェース可能である。
【００２９】
前記充電モジュール７にも、電極部支え座７６及びそれぞれ該電極部支え座７６に固定されたトリガー素子７７、第一電極部７８と第二電極部７９を含み、本実施例において、第二電極部７９が前記トリガー素子７７と共に押切り型のような電源スイッチを組み立てる。
【００３０】
図８に示すように、この状態で表示する方向に基づいて基準にとして、前記電極部支え座７６は、ほぼ中空の槽体結構であり、プラスチック材質などの電気絶縁材質例で製造され、電極部支え座７６は、上壁７６１、下壁７６２、左壁７６３、右壁７６４及び後壁７６５と共に囲設した前記第一電極部７８を収容するための方形槽を含み、上壁７６１に貫通孔７６６と電源部９１の挿入深度を拘束するストッパ７６７が設けられ、右壁７６４上に二つの前記第二電極部７９を固定するための位置決め柱７６８が設けられ、もちろん、位置決め柱７６８の数量が二つ限りではなく、これに応じて、左壁７６３上にも二つの前記トリガー素子７７を固定するための位置決め柱７６８（図１３を参照）が設けられ、後壁７６５上にも二つの前記第一電極部７８を固定するための位置決め柱７６８が設けられている。電極部支え座７６上に電極部支え座７６を前記制御基盤７４に挿入して固定するための挿入柱７６９が設けられ、本実施例において、電極部支え座７６の方形槽の対角上に二つの前記制御基盤の取り付け孔７４１と係合する挿入柱７６９が設けられ、電極部支え座７６がその挿入柱７６９により前記制御基盤に固定されている。
【００３１】
図９に示すように、トリガー素子７７は、押切り型スイッチ中で一つの接触点に相当し、充電電池７１の電極に接続されることに用いられている。本実施例において、トリガー素子７７は、金属シートを折り曲げて形成する負電極板であり、制御基盤７４の負電極バットに直接的に当接されて導通され、また制御基盤７４を介して前記充電電池７１に導通されている。トリガー素子７７は、前記電極部支え座７６に固定されるための本体７７０と、本体７７０に設けられ且つ前記位置決め柱７６８と係合する固定孔７７１と、前記制御基盤７４の負電極パッドに当接された弾性変形を備えるためのパッド当接シート７７２と、及び前記第二電極部７９に当接されるための電極当接シート７７３を含む。前記トリガー素子７７の本体７７０と電極当接シート７７３がほぼ「L」字形にする。もちろん、前記パッド当接シート７７２が「U」字形、「V」字形、或いは弧状の弾性シート可能である。
【００３２】
図１０に示すように、前記第一電極部７８は金属シートで製造され、本実施例において、該第一電極部７８は電源部９１の正電極と制御基盤７４に対応するパッドに接続することに用いられ、第一電極部７８は、前記電極部支え座７６に固定されるための本体７８０と、本体７８０に設けられ且つ前記位置決め柱７６８と係合する固定孔７８１と、前記制御基盤７４の正電極パッドに当接された弾性変形を備えるためのパッド当接シート７８２と、及び前記電源部９１の正電極に当接されるための電極当接シート７８３を含む。前記第一電極部７８の本体７８０と電極当接シート７８３がほぼ「Z」字形である。もちろん、前記パッド当接シート７８２が「U」字形、「V」字形、或いは弧状の弾性シート可能である。
【００３３】
図１１に示すように、前記第二電極部７９は金属シートで製造され、本実施例において、該第二電極部７９は電源部９１の負電極と制御基盤７４に対応するパッドに接続することに用いられ、第二電極部７９は、前記電極部支え座７６に固定されるための本体７９０と、本体７９０に設けられ且つ前記位置決め柱７６８と係合する固定孔７９１と、前記制御基盤７４の負電極パッドに当接された弾性変形を備えるためのパッド当接シート７９２と、それぞれ前記トリガー素子７７とともに前記電源部９１の第二電極部に当接された弾性変形を備えるための電極当接シート７９３及び電極当接シート７９３に位置する貫通孔７９４を含む。前記第二電極部７９の本体７９０と電極当接シート７９３がほぼ「L」字形である。もちろん、前記パッド当接シート７９２が「U」字形、「V」字形、或いは弧状の弾性シート可能である。
【００３４】
図１２、図１３に示すように、前記トリガー素子７７、第一電極部７８と第二電極部７９がすべて前記電極部支え座７６上に取り付けられ、電極部支え座７６が前記コンセントスロット８５４（図３を示すように）内に取り付けられ、且つ挿入柱７６９により前記制御基盤７４に固定されている。トリガー素子７７が電極部支え座７６の左壁７６３に固定し且つ貼り合わせ、トリガー素子７７の電極当接シート７７３が上壁７６１に貼り合わせ、第一電極部７８が後壁７６５に固定し且つ貼り合わせ、第一電極部７８の電極当接シート７８３がそれぞれ前記貫通孔７６６と前記貫通孔７９４を貫通して第二電極部７９の外側に差し出し、且つ電極当接シート７８３が第二電極部７９の電極当接シート７９３と接触することがなく、これにより、短絡を防止する。第二電極部７９が電極部支え座７６の右壁７６４に固定し且つ貼り合わせ、第二電極部７９の電極当接シート７９３が上壁７６１の上方に位置し且つ前記トリガー素子７７の電極当接シート７７３と接触することがない。
【００３５】
本実施例において、前記電源部９１の挿入端内部の電極部が第一電極にとして前記第一電極部７８の電極当接シート７８３に弾性当接しており、電気的に接続され、電源部９１の挿入端の端面が第二電極にとして前記第二電極部７９の電極当接シート７９３に弾性当接しており、電気的に接続されている（図６、図７に示すように）。トリガー素子７７のパッド当接シート７７２、第一電極部７８のパッド当接シート７８２及び第二電極部７９のパッド当接シート７９２がそれぞれ制御基盤７４上に対応するパッドと直接的に相互で当接されており、電気的に接続されることができる。このバネ式接続の線路接続方式を採用し、熔接する必要がなく、工程を簡略化し、取り付けが便利で、また線路接続の安定性と信頼性が高い。トリガー素子７７がスイッチにとして、電源部９１に提供されたトリガー信号方式はバネ接触のトリガー方式であり、連結の信頼性が高い。
【００３６】
本実施例において、前記充電コンセント７２は、前記電極部支え座７６、第一電極部７８、第二電極部７９とトリガー素子７７を含み、前記トリガー素子７７が前記第二電極部７９とともに電源スイッチに相当し、電源部９１が前記充電コンセント７２内に差し込まれた時に、電源部９１が第二電極部７９の電極当接シート７９３に当接され、電極当接シート７９３が弾性変形を生成しており、前記トリガー素子７７の電極当接シート７７３に当接され、これにより、回路を導通させることができる。トリガー素子７７が充電電池７１に導通されている、充電電池７１で電源部９１に自動的に充電し、取り付けと使用が便利である。従来技術において、金属銅スリーブの充電コンセントに比べて、本実施例の充電コンセント７２が金属シートにより製造され、生産コストを節約することができる。
【００３７】
電子タバコケース２００の底部ケース８１及び／またケース蓋８２が金属或いはプラスチック材質により製造されている。
【００３８】
ほかの実施例において、底部ケース８１及び／またケース蓋８２がすべて木質材料により製造され、そして、電子タバコケースの外観と手触りの感覚がよくなった上に、且つコストが低く、もっとエコロジーである。前記木質材料が天然木材を採用し、前記天然木材が、松（pine）、レッドウッド（redwood）、インドシタン（padauk）、紫檀、ローズウッド（rosewood）、ウェンジ（wenge）、ゴム、胡桃、楓（maple）、樺（birch）、チェリーウッド（cherry  wood）、オールナット（walnut）、樟（camphor tree）の木においての一種又は複数種の混合体を含む。加工技術としては、木材の削り、木材の成型・加工、木材の表面装飾、及び消毒を含む。
【００３９】
上述は本発明の具体的な実施形態で、指摘しなければいけないのは、この技術分野の当業者において、本発明の原理を離れていない前提で、若干の改善と修飾を行うことができ、この改善の修飾は本発明の保護範囲内に属するべきである。
【図１】
0005978454.tif 000002
【図２】
0005978454.tif 000003
【図３】
0005978454.tif 000004
【図４】
0005978454.tif 000005
【図５】
0005978454.tif 000006
【図６】
0005978454.tif 000007
【図７】
0005978454.tif 000008
【図８】
0005978454.tif 000009
【図９】
0005978454.tif 000010
【図１０】
0005978454.tif 000011
【図１１】
0005978454.tif 000012
【図１２】
0005978454.tif 000013
【図１３】
0005978454.tif 000014